(57)【要約】      （修正有）【課題】オペレータの手間を省き、作業効率を向上させる、写真処理装置を提供する。【解決手段】写真処理装置は、切り出しモード、全体モード、等倍モードに対応してプリントを作製する。切り出しモードでは、基本的にプリント画像１０４が切り出されるように印画紙に形成される。全体モードでは、基本的にプリント画像１０４全体が印画紙に形成される。等倍モードでは、基本的に入力画像の画素サイズと印画紙に形成されるプリント画像１０４の画素サイズとが等しくなる。表示部のプレジャッジ画面１００は、各プリントモードに対応するプレビュー画像１０２を一覧表示する。【選択図】図３
2006094095.tif 000002
【特許請求の範囲】
【請求項１】
入力画像に基づくプリント画像をプリント材料に形成することによって作製されるプリントに対応するプレビュー画像データを生成する写真処理装置において、
複数の前記プレビュー画像データのそれぞれに基づく複数のプレビュー画像を表示手段に一覧表示することを特徴とする、写真処理装置。
【請求項２】
前記プレビュー画像データは、前記入力画像に対応する入力画像データと前記入力画像の画素サイズと前記プリント画像を形成すべき解像度と前記プリント材料のサイズとプリントモードとに基づいて生成される、請求項１に記載の写真処理装置。
【請求項３】
前記プレビュー画像データは、前記入力画像の拡大率をさらに考慮して生成される、請求項２に記載の写真処理装置。
【請求項４】
前記プリントにおける前記プリント画像のサイズが前記プリント材料のサイズに対して所定の割合以下になることを報知手段によって報知する、請求項１から３のいずれかに記載の写真処理装置。
【請求項５】
前記表示手段はプレジャッジ画面を表示可能であり、前記複数のプレビュー画像は当該プレジャッジ画面に一覧表示される、請求項１から４のいずれかに記載の写真処理装置。
【発明の詳細な説明】
【技術分野】
【０００１】
この発明は、写真処理装置に関し、より特定的には、プリント画像をプリント材料に形成することによって作製されるプリントのプレビュー画像を表示する写真処理装置に関する。
【背景技術】
【０００２】
従来、写真用のフィルム等から読み取った画像データに基づく画像を銀塩印画紙に露光形成することによってプリントを作製する、たとえば特許文献１に開示されるような写真処理装置が知られている。特許文献１の写真処理装置では、モニタに表示されるシミュレート画面（プレジャッジ画面）において、複数の画像をそれぞれサムネイル化した複数のシミュレート画像（プレジャッジ画像）が画像表示欄にそれぞれ表示される。オペレータは、プレジャッジ画面に一覧表示される各プレジャッジ画像の色合い等の画像特性を確認し、必要であれば画像データひいては画像に補正を施す。
【０００３】
一般に、このような写真処理装置では、基本的にできるだけ大きな範囲の画像を銀塩印画紙に余白なく形成する切り出しモード、基本的に画像全体を銀塩印画紙に形成する全体モード、基本的に画素サイズを変更することなく画像を銀塩印画紙に形成する等倍モード等のプリントモードに応じてプリントが作製される。いずれのプリントモードであっても、プレジャッジ画面には画像表示欄に合わせたサイズでプレジャッジ画像が表示される。切り出しモードでは、プリントに形成される画像の範囲をわかりやすくするために、画像表示欄に銀塩印画紙のサイズを示す枠画像が表示される。
【特許文献１】特開２００２−２７７９８８号
【発明の開示】
【発明が解決しようとする課題】
【０００４】
しかし、特許文献１の写真処理装置において、全体モードおよび等倍モードでは、銀塩印画紙に対してどのようなサイズで画像が形成されるのか把握できなかった。つまり、各プレジャッジ画像がプレビュー画像として機能せず、プリントにどの程度の余白ができるのか把握できなかった。
【０００５】
プリントをプレビューして余白を確認するためには、プレジャッジ画面において任意のプレジャッジ画像を１つ選択し、当該プレジャッジ画像に対応するプリントのプレビュー画像をモニタに表示させる必要がある。複数のプリントをプレビューするために、このような作業を繰り返さなければならないので、オペレータの負担が増し、作業効率が低下してしまうという問題があった。
【０００６】
それゆえに、この発明の主たる目的は、オペレータの手間を省き、作業効率を向上できる写真処理装置を提供することである。
【課題を解決するための手段】
【０００７】
上述の目的を達成するために、請求項１に記載の写真処理装置は、入力画像に基づくプリント画像をプリント材料に形成することによって作製されるプリントに対応するプレビュー画像データを生成する写真処理装置において、複数のプレビュー画像データのそれぞれに基づく複数のプレビュー画像を表示手段に一覧表示することを特徴とする。
【０００８】
請求項２に記載の写真処理装置は、請求項１に記載の写真処理装置において、プレビュー画像データは、入力画像に対応する入力画像データと入力画像の画素サイズとプリント画像を形成すべき解像度とプリント材料のサイズとプリントモードとに基づいて生成されることを特徴とする。
【０００９】
請求項３に記載の写真処理装置は、請求項２に記載の写真処理装置において、プレビュー画像データは、入力画像の拡大率をさらに考慮して生成されることを特徴とする。
【００１０】
請求項４に記載の写真処理装置は、請求項１から３のいずれかに記載の写真処理装置において、プリントにおけるプリント画像のサイズがプリント材料のサイズに対して所定の割合以下になることを報知手段によって報知することを特徴とする。
【００１１】
請求項５に記載の写真処理装置は、請求項１から４のいずれかに記載の写真処理装置において、表示手段はプレジャッジ画面を表示可能であり、複数のプレビュー画像は当該プレジャッジ画面に一覧表示されることを特徴とする。
【００１２】
なお、この発明において、「プレジャッジ画面」とは、複数のプリント画像を一覧表示し、複数のプリント画像の画像特性をそれぞれ確認するために用いられる画面をいう。
また、この発明において、「画素サイズ」とは、複数の点（画素）を縦横に並べることによって構成される画像（デジタル画像）の大きさをいう。
【００１３】
請求項１に記載の写真処理装置では、作製するプリントに対応するプレビュー画像データを生成し、複数のプレビュー画像データのそれぞれに基づく複数のプレビュー画像を表示手段に一覧表示する。このように、オペレータに複数のプリントのプレビュー画像を一度に確認させることによって、オペレータの手間を省き、作業効率を向上できる。
【００１４】
一般に、写真処理装置では、たとえば、切り出しモード、全体モードおよび等倍モード等のプリントモードに対応してプリントが作製される。請求項２に記載の写真処理装置では、入力画像に対応する入力画像データと入力画像の画素サイズとプリント画像を形成すべき解像度とプリント材料のサイズとを用いて、上述のようなプリントモードで作製されるプリントに対応するプレビュー画像データが簡単に生成される。
【００１５】
請求項３に記載の写真処理装置では、入力画像の拡大率をさらに考慮してプレビュー画像データが生成される。したがって、オペレータが任意に設定した拡大率で入力画像の画素サイズを拡大あるいは縮小する場合であっても、入力画像の画素サイズの変更をプレビュー画像データひいてはプレビュー画像に反映できる。
【００１６】
請求項４に記載の写真処理装置では、プリントにおけるプリント画像のサイズがプリント材料のサイズに対して所定の割合以下になることを報知手段によって報知する。これによって、作製するプリントの余白が大きくなりすぎることを事前に防止でき、プリント材料のロスを抑えることができる。
【００１７】
請求項５に記載の写真処理装置では、表示手段のプレジャッジ画面に複数のプレビュー画像が一覧表示される。したがって、オペレータに、プレビュー画像を表示する別の画面を表示手段に表示させる必要がなく、複数のプリントにおけるプリント画像の形成態様を一度に確認させつつ各プリント画像の画像特性を確認させることができ、さらに作業効率を向上できる。
【発明の効果】
【００１８】
この発明によれば、オペレータの手間を省き、作業効率を向上させることができる。
【発明を実施するための最良の形態】
【００１９】
以下、図面を参照して、この発明の実施の形態について説明する。
図１および図２を参照して、この発明の一実施形態の写真処理装置１０は、プリント材料の一例である銀塩印画紙（以下、単に「印画紙」という）Ｓ（図１参照）に画像を形成することによってプリントＳｃ（図２参照）を作製するために、ラボ（現像所）等に設置される。写真処理装置１０は、スキャナ部１２およびプリント部１４を備える。
【００２０】
スキャナ部１２は、たとえば２４０フィルム（ＡＰＳ（Advanced Photo System）フィルム）等の写真用のフィルムＦに向けて光を発する光源１６を含む。複数のコマ画像が形成されたフィルムＦは、図示しない駆動モータによって回転駆動される搬送用ローラ１８によって搬送され、ネガマスク２０によってフィルムＦのコマ画像が位置決めされる。搬送用ローラ１８およびネガマスク２０は搬送ユニットであるネガキャリア２２内に一体的に組み込まれる。また、ネガキャリア２２内にはさらに、フィルムＦに形成された撮影年月日、撮影時刻、コマナンバー等のフィルム情報を読み取るための読取ヘッド２４が設けられる。
【００２１】
光源１６とフィルムＦとの間には、光源１６から発せられた光をフィルムＦに導くためのミラートンネル２６が配置される。光源１６から発せられフィルムＦを透過した光の光路上には、ＣＣＤセンサ等である画像センサ２８が配置される。また、フィルムＦと画像センサ２８との間には、フィルムＦを透過した光を画像センサ２８に結像させるためのレンズ３０が配置される。
【００２２】
画像センサ２８に結像された光は、デジタルデータとして出力され、スキャナ部１２およびプリント部１４を統括的に制御するコントローラ３２に入力される。また、コントローラ３２には、読取ヘッド２４によって読み取られたフィルム情報も入力される。
【００２３】
コントローラ３２は、ＣＰＵバスで相互に接続されたＣＰＵ３２ａ、ＲＯＭ３２ｂ、ＲＡＭ３２ｃおよびハードディスクドライブ（ＨＤＤ：ハードディスクを含む）３２ｄを含む。また、コントローラ３２には、オペレータが種々の指示や設定を行うためのキーボードやマウス等の入力部３４、画像データ等をメディアに対して書き込みまた読み出すメディアリーダライタ３６、および写真処理装置１０の操作を容易にするＧＵＩ（Graphical User Interface）等を表示する表示部３８が接続される。
【００２４】
ＣＰＵ３２ａは、ＲＯＭ３２ｂやＨＤＤ３２ｄに格納された各種のプログラムを実行し、データを処理し、写真処理装置１０の各構成要素に指示を与え、写真処理装置１０の動作を制御する。
【００２５】
ＲＯＭ３２ｂは、起動用プログラム等を格納している。起動用プログラムは、写真処理装置１０の電源投入時にＣＰＵ３２ａによって実行される。これによって、ＨＤＤ３２ｄに格納されているオペレーティングシステム（ＯＳ）等のプログラムがＲＡＭ３２ｃにロードされ、各種の処理や制御が実行可能となる。
【００２６】
ＲＡＭ３２ｃには、写真処理装置１０を制御するプログラム等が展開され、プログラムによる処理結果、処理のための一時データ、表示部３８の画面上に情報を表示するための表示用データ（テキストデータ、画像データ等）等を保持し、ＣＰＵ３２ａの作業領域として使用される。
【００２７】
ＨＤＤ３２ｄは、ＣＰＵ３２ａの指示に従って、プログラム、制御用データ、テキストデータ、画像データ等を、ハードディスクに対して書き込みまたは読み出す。この実施形態では、ＨＤＤ３２ｄ内のハードディスクに、スキャナ部１２からコントローラ３２に入力されたデジタルデータが入力画像データとして格納される。また、この実施形態では、ＨＤＤ３２ｄ内のハードディスクに、図６および図１０に示す動作を実行するためのプログラムが格納される。
【００２８】
コントローラ３２に接続されるメディアリーダライタ３６は、メディアに記録された画像データ等を読み出し、コントローラ３２に入力する。メディアリーダライタ３６によってメディアから読み出された画像データは、たとえばＨＤＤ３２ｄに入力画像データとして格納される。また、メディアリーダライタ３６は、たとえばＨＤＤ３２ｄに格納されている入力画像データをメディアに書き込むことも可能である。メディアとしては、たとえばデジタルカメラ用のスマートメディア、メモリスティックやＣＤ−Ｒ（ＣＤ−Ｒ／Ｗ）、ＭＯ等が用いられる。
【００２９】
なお、写真処理装置１０で取り扱い可能な画像データのファイル形式は、特定のファイル形式に限定されるものではない。たとえば、ＪＰＥＧ、ＧＩＦ、ビットマップ等の任意のファイル形式の画像データを写真処理装置１０で取り扱うことができる。
【００３０】
ＣＲＴモニタ等からなる表示部３８は、ＲＡＭ３２ｃ上に展開された表示用データ（テキストデータ、画像データなど）に基づく表示内容（テキスト、画像等）を画面上に表示する。この実施形態では、表示部３８が表示手段に相当し、報知手段としても機能する。
【００３１】
ここで、図３〜図５を参照して、表示部３８の画面上に表示されるプレジャッジ画面１００について説明する。
図３〜図５に示すように、プレジャッジ画面１００には複数（ここでは６つ）の画像表示欄１０１が設けられ、各画像表示欄１０１にはプレビュー画像データに基づくプレビュー画像１０２が表示される。つまり、プレジャッジ画面１００には６つのプレビュー画像１０２が一覧表示される。各プレビュー画像１０２は、四角形状のプリント画像１０４と作製するプリントＳｃのサイズに対応する四角形状の枠画像１０６とによって構成される。各プレビュー画像１０２において、枠画像１０６内のプリント画像１０４がプリントＳｃに形成される画像に相当する。
【００３２】
なお、説明の便宜上、図３および図４では、上段左端のプレビュー画像１０２において、プリント画像１０４に斜線が付され、枠画像１０６が太線で示されている。また、説明の便宜上、図５では、上段左端のプレビュー画像１０２と下段右端のプレビュー画像１０２とにおいて、それぞれ、プリント画像１０４に斜線が付され、枠画像１０６が太線で示されている。
【００３３】
各画像表示欄１０１の下部中央には、プリントチャンネルを表示するチャンネル表示欄１０８が設けられる。チャンネル表示欄１０８に表示されるプリントチャンネルは図示しない設定画面で設定され、プリントチャンネルが設定されることによって作製するプリントＳｃのサイズが決まる。プリントチャンネルは、たとえば、標準（Ｃ）チャンネル、ハイビジョン（Ｈ）チャンネル、パノラマ（Ｐ）チャンネル等から選択される。Ｃチャンネルでは作製するプリントＳｃのサイズが縦８９ｍｍ×横１２７ｍｍとなり、Ｈチャンネルでは作製するプリントＳｃのサイズが縦８９ｍｍ×横１５２ｍｍとなり、Ｐチャンネルでは作製するプリントＳｃのサイズが縦８９ｍｍ×横２５４ｍｍとなる。図３〜図５においては、各チャンネル表示欄１０８に「Ｃ」が表示され、Ｃチャンネルに設定されていることがわかる。
【００３４】
また、各画像表示欄１０１の下方には、プリント画像１０４の画像特性を補正するための補正ボタン１１０が複数（ここでは４つ）設けられる。入力部３４を介して各補正ボタン１１０が操作されることによって、対応するプレビュー画像１０２のプリント画像１０４のイエロー、マゼンタ、シアンの色合いやシャープネス等の画像特性が補正される。
さらに、プレジャッジ画面１００には、各画像表示欄１０１に対応して枚数設定欄１１２が設けられる。入力部３４を介して枚数設定欄１１２内の枚数が設定されることによって、対応するプレビュー画像１０２のプリント画像１０４が形成されるプリントＳｃを作製する枚数が決まる。
【００３５】
このようなプレジャッジ画面１００は、複数のプレビュー画像１０２を一覧表示することによって、複数のプリントＳｃにおけるプリント画像１０４の形成態様をオペレータに確認させかつ各プリント画像１０４の画像特性をオペレータに確認させるために用いられる。
【００３６】
プリントＳｃは所定のプリントモードに対応して作製され、この実施形態ではプリントモードとして切り出しモード、全体モードおよび等倍モードが採用される。
【００３７】
切り出しモードおよび全体モードでは、入力画像１０３（図７〜図９参照）の画素サイズを拡大あるいは縮小するための画像処理を入力画像１０３に対応する入力画像データに施す。そして、この処理によって得られるプリント画像データに基づくプリント画像１０４が印画紙Ｓに形成される。
【００３８】
切り出しモードでは、基本的に、プリント画像１０４の一辺の画素寸法とプリントＳｃ（カット済み印画紙Ｓ）のプリント画像１０４を形成すべき解像度に基づく一辺の画素寸法とが一致し、かつプリント画像１０４の画素サイズが印画紙Ｓのプリント画像１０４を形成すべき解像度に基づく画素サイズ以上になる。したがって、切り出しモードでは、基本的にプリント画像１０４が切り出されるように印画紙Ｓに形成される。
【００３９】
全体モードでは、基本的に、プリント画像１０４の一辺の画素寸法と印画紙Ｓのプリント画像１０４を形成すべき解像度に基づく一辺の画素寸法とが一致し、かつプリント画像１０４の画素サイズが印画紙Ｓのプリント画像１０４を形成すべき解像度に基づく画素サイズ以下になる。したがって、全体モードでは、基本的にプリント画像１０４全体が印画紙Ｓに形成される。
【００４０】
等倍モードでは、基本的に、入力画像１０３（図７〜図９参照）の画素サイズを拡大あるいは縮小するための画像処理を入力画像１０３に対応する入力画像データに施さない。したがって、等倍モードでは、基本的に入力画像１０３の画素サイズと印画紙Ｓに形成されるプリント画像１０４の画素サイズとが等しくなる。
【００４１】
ついで、図６〜図９を参照して、プレビュー画像データの生成動作について説明する。ここでは、プリントチャンネルがＣチャンネルに設定され、縦８９ｍｍ×横１２７ｍｍのプリントＳｃを作製するものとし、Ｃチャンネルのチャンネル倍率が１倍に設定されているものとする。また、画素サイズが縦６００ピクセル×横１０００ピクセルの入力画像１０３に基づくプリント画像１０４を解像度３００ｄｐｉ（dot per inch）で印画紙Ｓに形成するものとする。
【００４２】
なお、「チャンネル倍率」とは、入力画像１０３の画素サイズを変更するために、プリントチャンネル毎にオペレータによって設定される任意の倍率である。この実施形態では、チャンネル倍率が入力画像１０３の拡大率に対応する。
【００４３】
図６に示すように、まず、プリントチャンネルに対応するプリントＳｃ（カット済み印画紙Ｓ）のサイズとプリント画像１０４を形成すべき解像度（１インチあたりの画素数）とに基づいて、枠画像１０６に対応する枠画像データが生成される（ステップＳ１）。
【００４４】
ステップＳ１では、ＣＰＵ３２ａによって、印画紙Ｓの横方向の寸法Ｌｘ（ｍｍ）（図７〜図９参照）とミリメートルからインチへの変換係数と解像度（ｄｐｉ）とを用いて（寸法Ｌｘ）÷（変換係数）×（解像度）という演算が行われ、画素寸法Ｐｘ（ｐｉｘｅｌ）（図７〜図９参照）が算出される。また、ＣＰＵ３２ａによって、印画紙Ｓの縦方向の寸法Ｌｙ（ｍｍ）（図７〜図９参照）と変換係数と解像度（ｄｐｉ）とを用いて（寸法Ｌｙ）÷（変換係数）×（解像度）という演算が行われ、画素寸法Ｐｙ（ｐｉｘｅｌ）（図７〜図９参照）が算出される。その後、ＣＰＵ３２ａによって、画素サイズが縦Ｐｙ×横Ｐｘの枠画像１０６に対応する枠画像データが生成され、ＲＡＭ３２ｃに保持される。
【００４５】
ここでは、寸法Ｌｘが１２７ｍｍであり、寸法Ｌｙが８９ｍｍであり、変換係数が２５．４であり、解像度が３００ｄｐｉであるので、画素寸法Ｐｘは１５００ピクセルになり、画素寸法Ｐｙは約１０５１．１８ピクセルになる（以下、画素寸法（画素数）の小数部分は四捨五入する）。したがって、画素サイズが縦１０５１ピクセル×横１５００ピクセルの枠画像１０６に対応する枠画像データが生成される。
【００４６】
つづいて、入力画像データに基づく入力画像１０３を拡大あるいは縮小すべき変更倍率がプリントモードに対応して設定される（ステップＳ３）。
【００４７】
ステップＳ３では、ＣＰＵ３２ａによって、枠画像１０６の横方向の画素寸法Ｐｘと入力画像１０３の横方向の画素寸法Ｐｘ１（ｐｉｘｅｌ）（図７〜図９参照）とを用いて（画素寸法Ｐｘ）÷（画素寸法Ｐｘ１）という演算が行われ、横方向の倍率が算出される。また、ＣＰＵ３２ａによって、枠画像１０６の縦方向の画素寸法Ｐｙと入力画像１０３の縦方向の画素寸法Ｐｙ１（ｐｉｘｅｌ）（図７〜図９参照）とを用いて（画素寸法Ｐｙ）÷（画素寸法Ｐｙ１）という演算が行われ、縦方向の倍率が算出される。その後、ＣＰＵ３２ａによって横方向の倍率と縦方向の倍率とが比較され、切り出しモードの場合は大きい倍率が変更倍率に設定され、全体モードの場合は小さい倍率が変更倍率に設定される。また、等倍モードの場合は、横方向の倍率および縦方向の倍率に拘らず１倍が変更倍率に設定される。
【００４８】
ここでは、画素寸法ＰｘとＰｘ１とがそれぞれ１５００ピクセルと１０００ピクセルとであるので、横方向の倍率は１．５倍となる。また、画素寸法ＰｙとＰｙ１とがそれぞれ１０５１ピクセルと６００ピクセルとであるので、縦方向の倍率は約１．７５２倍となる。したがって、切り出しモードの場合は縦方向の倍率（１．７５２倍）が変更倍率に設定され、全体モードの場合は横方向の倍率（１．５倍）が変更倍率に設定される。
【００４９】
つづいて、入力画像１０３の画素サイズを変更するための画像処理が入力画像データに施される（ステップＳ５）。
【００５０】
ステップＳ５では、ＣＰＵ３２ａによって、入力画像１０３の横方向の画素寸法Ｐｘ１と変更倍率とチャンネル倍率とを用いて（画素寸法Ｐｘ１）×（変更倍率）×（チャンネル倍率）という演算が行われ、画素寸法Ｐｘ２（ｐｉｘｅｌ）（図７〜図９参照）が算出される。また、ＣＰＵ３２ａによって、入力画像１０３の縦方向の画素寸法Ｐｙ１と変更倍率とチャンネル倍率とを用いて（画素寸法Ｐｙ１）×（変更倍率）×（チャンネル倍率）という演算が行われ、画素寸法Ｐｙ２（ｐｉｘｅｌ）（図７〜図９参照）が算出される。その後、ＣＰＵ３２ａによって、プリント画像１０４の画素サイズが縦Ｐｙ２×横Ｐｘ２になるように、ニアレストネイバー法、バイリニア法、バイキュービック法等の公知の方法で入力画像データにサイズ変更のための画像処理が施される。この処理によって得られた画像データがプリント画像データとしてＲＡＭ３２ｃに保持される。
【００５１】
切り出しモードの場合、ここでは変更倍率とチャンネル倍率とがそれぞれ１．７５２倍と１倍とであるので、プリント画像データに基づくプリント画像１０４の画素サイズは縦１０５１ピクセル×横１７５２ピクセルになる。また、全体モードの場合、ここでは変更倍率とチャンネル倍率とがそれぞれ１．５倍と１倍とであるので、プリント画像１０４の画素サイズは縦９００ピクセル×横１５００ピクセルになる。また、等倍モードの場合、ここでは変更倍率およびチャンネル倍率がいずれも１倍であるので、入力画像データにサイズ変更のための画像処理が施されず、プリント画像１０４の画素サイズは入力画像１０３の画素サイズと等しくなる。
【００５２】
その後、ＣＰＵ３２ａによって、プリント画像１０４の中心と枠画像１０６の中心とが一致するように、ＲＡＭ３２ｃに保持されるプリント画像データと枠画像データとが合成され（ステップＳ７）、プレビュー画像データが生成される。
【００５３】
ここでは、ステップＳ７で生成されたプレビュー画像データに基づくプレビュー画像１０２が図７〜図９に示す態様になる。
【００５４】
切り出しモードの場合、図７に示すように、プレビュー画像１０２において、枠画像１０６の画素寸法Ｐｙとプリント画像１０４の画素寸法Ｐｙ２とが一致し、枠画像１０６の画素寸法Ｐｘよりもプリント画像１０４の画素寸法Ｐｘ２が大きくなる。このために、プリント画像１０４の左右の（画素寸法Ｐｙ２）×｛（画素寸法Ｐｘ２）−（画素寸法Ｐｘ）｝÷２の範囲（縦１０５１ピクセル×横１２６ピクセルの範囲）がそれぞれ枠画像１０６からはみ出ることとなる。
【００５５】
全体モードの場合、図８に示すように、プレビュー画像１０２において、枠画像１０６の画素寸法Ｐｘとプリント画像１０４の画素寸法Ｐｘ２とが一致し、プリント画像１０４の画素寸法Ｐｙ２よりも枠画像１０６の画素寸法Ｐｙが大きくなる。このために、枠画像１０６内の上下の｛（画素寸法Ｐｙ）−（画素寸法Ｐｙ２）｝÷２×（画素寸法Ｐｘ）の範囲（縦７６ピクセル×横１５００ピクセルの範囲）にはそれぞれ余白ができる。
【００５６】
等倍モードの場合、図９に示すように、プレビュー画像１０２において、プリント画像１０４の画素寸法Ｐｘ２，Ｐｙ２よりも枠画像１０６の画素寸法Ｐｘ，Ｐｙが大きくなる。このために、枠画像１０６内の左右の（画素寸法Ｐｙ）×｛（画素寸法Ｐｘ）−（画素寸法Ｐｘ２）｝÷２の範囲（縦１０５１ピクセル×横２５０ピクセルの範囲）にはそれぞれ余白ができる。また、枠画像１０６内の上下の｛（画素寸法Ｐｙ）−（画素寸法Ｐｙ２）｝÷２×（画素寸法Ｐｘ）の範囲（縦２２６ピクセル×横１５００ピクセルの範囲）にはそれぞれ余白ができる。
【００５７】
なお、切り出しモードおよび全体モードにおいて、プリント画像１０４のアスペクト比と枠画像１０６のアスペクト比とが一致する場合、ステップＳ３で算出される縦方向の倍率と横方向の倍率とが等しくなる。この場合、いずれを変更倍率に設定してもよく、チャンネル倍率が１倍であれば、プリント画像１０４の画素サイズと枠画像１０６の画素サイズとが一致する。したがって、プレビュー画像１０２は、プリント画像１０４全体が余白のない状態で枠画像１０６内に収まる態様になる。また、等倍モードにおいて、プリント画像１０４の画素サイズおよびアスペクト比と枠画像１０６の画素サイズおよびアスペクト比とが一致しかつチャンネル倍率が１倍である場合もプリント画像１０４全体が余白のない状態で枠画像１０６収まる態様になる。さらに、等倍モードにおいて、プリント画像１０４のアスペクト比と枠画像１０６のアスペクト比とが一致しかつチャンネル倍率がプリント画像１０４の画素サイズを枠画像１０６の画素サイズに拡大あるいは縮小させる倍率である場合もプリント画像１０４全体が余白のない状態で枠画像１０６内に収まる態様になる。
【００５８】
また、プリント画像１０４のアスペクト比と枠画像１０６のアスペクト比とによっては、切り出しモードにおいてプリント画像１０４が枠画像１０６から上下にはみ出ることもあり、全体モードにおいて枠画像１０６内の左右に余白ができることもある。さらに、チャンネル倍率を考慮すれば（チャンネル倍率が１倍でなければ）、各プリントモードに対応して生成されたプレビュー画像データに基づくプレビュー画像１０２の態様として様々なパターンが考えられる。
【００５９】
さらに、入力画像１０３と枠画像１０６とで長辺の方向が異なる場合、長辺の方向が一致するように入力画像１０３あるいは枠画像１０６を９０°回転させた後、ステップＳ３で横方向の倍率と縦方向の倍率とを算出するようにしてもよい。入力画像１０３と枠画像１０６とで長辺の方向を一致させることによって、切り出しモードではプリント画像１０４の枠画像１０６からはみ出す範囲を抑えることができ、全体モードでは枠画像１０６内の余白を抑えることができる。
【００６０】
上述のように生成されたプレビュー画像データにサムネイル化処理が施され、サムネイル化処理後のプレビュー画像データに基づくプレビュー画像１０２がプレジャッジ画面１００に表示される。
【００６１】
図３〜図５に戻って、図３に示されるプレジャッジ画面１００には、切り出しモードに対応して生成されたプレビュー画像データに基づくプレビュー画像１０２が各画像表示欄１０１に表示されている。図４に示されるプレジャッジ画面１００には、全体モードに対応して生成されたプレビュー画像データに基づくプレビュー画像１０２が各画像表示欄１０１に表示されている。図５に示されるプレジャッジ画面１００には、等倍モードに対応して生成されたプレビュー画像データに基づくプレビュー画像１０２が各画像表示欄１０１に表示されている。
【００６２】
図５においては、各プリント画像１０４（入力画像１０３）の画素サイズが異なり、各プレビュー画像１０２が様々な態様になることがわかる。
【００６３】
図１に戻って、プリント部１４は、長尺の印画紙Ｓが収納されるペーパーマガジン４０を含む。ペーパーマガジン４０は所定の幅寸法の印画紙Ｓを収納し、たとえば作製するプリントＳｃのサイズの変更（プリントチャンネルの変更）に伴って交換される。ペーパーマガジン４０に収納される印画紙Ｓは、所定の経路に沿って引き出され、図示しないカッタによってプリントチャンネルに応じたサイズにカットされ、カット済み印画紙Ｓが搬送用ローラ４２によって所定の搬送経路上を搬送される。搬送用ローラ４２は駆動モータ４４によって回転駆動され、駆動モータ４４はコントローラ３２によって制御される。
【００６４】
また、カット済み印画紙Ｓの搬送経路上には、デジタル露光ヘッド４６が配置される。デジタル露光ヘッド４６は、コントローラ３２から入力されるプリント画像データに基づくプリント画像１０４をカット済み印画紙Ｓに露光形成する。デジタル露光ヘッド４６には、たとえば蛍光プリンタ、ＰＬＺＴ式プリンタまたはＣＲＴプリンタ等のプリンタヘッドが用いられる。
【００６５】
プリント部１４でプリント画像１０４が形成されたカット済み印画紙Ｓは、現像処理部４８で現像処理液を貯留する処理槽を通過することによって現像処理され、乾燥部５０でヒータの発する熱によって乾燥される。その後、図２に示すように、乾燥部５０に設けられる排出口５０ａからプリントＳｃとして排出される。
【００６６】
ついで、図１０を参照して、プリントＳｃの作製動作について説明する。
図１０に示すように、まず、表示部３８に表示される設定画面でオペレータによって、プリントモード、プリントチャンネル、チャンネル倍率およびプリント画像１０４を形成すべき解像度等が設定される（ステップＳ１０１）。
【００６７】
つづいて、ＣＰＵ３２ａの指示に従って、スキャナ部１２によってフィルムＦからあるいはメディアリーダライタ３６によってメディアから入力画像データが取得され（ステップＳ１０３）、ＨＤＤ３２ｄに格納される。
【００６８】
つづいて、プリントチャンネル（印画紙Ｓのサイズ）、チャンネル倍率、プリントモード、解像度および入力画像１０３の画素サイズを用い、上述のようにプリントモードに対応して複数のプレビュー画像データが生成される（ステップＳ１０５）。
【００６９】
つづいて、各プレビュー画像データに基づくプレビュー画像１０２のプリント画像１０４の画素サイズ（面積）と枠画像１０６の画素サイズ（面積）とがＣＰＵ３２ａによって比較される（ステップＳ１０７）。
【００７０】
ステップＳ１０７で枠画像１０６の画素サイズに対してプリント画像１０４の画素サイズが所定の割合（たとえば５割）以下になるプレビュー画像１０２がない場合（ステップＳ１０９でＮＯの場合）、つづいて表示部３８にプレジャッジ画面１００が表示される（ステップＳ１１１）。
【００７１】
一方、ステップＳ１０７で枠画像１０６の画素サイズに対してプリント画像１０４の画素サイズが所定の割合以下になるプレビュー画像１０２がある場合（ステップＳ１０９でＹＥＳの場合）、当該プレビュー画像１０２に対応するプレビュー画像データに警告画像データが合成され（ステップＳ１１３）、その後、ステップＳ１１１に移る。
【００７２】
ステップＳ１１３で警告画像データが合成されたプレビュー画像データに基づくプレビュー画像１０２には、図５のプレジャッジ画面１００において上段左端、上段右端および下段中央に示されるプレビュー画像１０２のように、警告マーク１１４が表示される。
【００７３】
つづいて、入力部３４を介してオペレータによって、プレジャッジ画面１００で複数のプレビュー画像１０２毎にプリント画像１０４の画像特性の補正の設定や作製するプリントＳｃの枚数の設定がなされた後に、プリントＳｃの作製を開始してもよければスタートボタン１１６（図３〜図５参照）が押される。そして、スタートボタン１１６が押される（ステップＳ１１５でＹＥＳになる）ことを契機として、印画紙Ｓへの露光、現像、乾燥処理（ステップＳ１１７）が開始される。スタートボタン１１６が押されるまでは（ステップＳ１１５でＹＥＳになるまでは）、プレジャッジ画面１００が表示部３８に表示され続ける。
【００７４】
ステップＳ１１７では、プリント部１４で複数のプリント画像１０４がそれぞれプレビュー画像１０２に対応するようにカット済み印画紙Ｓに露光形成され、現像処理部４８で画像形成済み印画紙Ｓに現像処理が施され、現像処理済み印画紙Ｓが乾燥部５０で乾燥される（ステップＳ１１７）。その後、排出口５０ａから全てのプリントＳｃが排出されると、プリントＳｃの作製動作が終了する。
【００７５】
このような写真処理装置１０では、複数のプレビュー画像データのそれぞれに基づく複数のプレビュー画像１０２を表示部３８の画面上のプレジャッジ画面１００に一覧表示することによって、オペレータに、複数のプリントＳｃにおけるプリント画像１０４の形成態様を一度に確認させつつ各プレビュー画像１０２のプリント画像１０４の画像特性を確認させることができる。したがって、プレビュー画像１０２を表示する別の画面を表示部３８に表示させる必要もなく、オペレータの手間を省き、作業効率を向上できる。
【００７６】
さらに、写真処理装置１０では、プリント画像１０４の画素サイズが枠画像１０６の画素サイズ（印画紙Ｓのサイズ）に対して所定の割合以下になることをプレビュー画像１０２の警告マーク１１４によって報知できる。これによって、オペレータは警告マーク１１４が表示されるプレビュー画像１０２について、枚数設定欄１１２内の枚数「０」に設定し、プリントＳｃの作製をパスすることができる。または、ペーパーマガジン４０を交換することによって、印画紙Ｓのサイズを変更し、作製するプリントＳｃの余白を小さくするように対処できる。したがって、印画紙Ｓのロスを抑えることができる。
【００７７】
なお、図３〜図５のプレジャッジ画面１００には、それぞれ切り出しモード、全体モードおよび等倍モードに対応するプレビュー画像１０２が一覧表示されているが、プリント画像１０４毎にプリントモードを設定し、１つのプレジャッジ画面１００に複数のプリントモードのいずれかに対応するプレビュー画像１０２を一覧表示するようにしてもよい。
【００７８】
また、たとえばプレジャッジ画面１００に切替ボタン等を設け、切替ボタンを押すことによって、プレビュー画像１０２と画像表示欄１０１のサイズに合わせたプリント画像１０４（従来のプレジャッジ画像）とをプレジャッジ画面１００上で切り替えて表示するようにしてもよい。
【００７９】
また、上述の実施形態では、プリント画像１０４の画素サイズが枠画像１０６の画素サイズに対して所定の割合以下になることを警告マーク１１４によって報知する場合について説明したが、警告マーク１１４に代えてテキストや音声等で報知するようにしてもよい。
【００８０】
また、この発明で用いられるプリント材料は、印画紙に限定されず、布やプラスチックフィルム等であってもよい。
【００８１】
さらに、プリント材料にプリント画像を形成する手段としては、インクジェット方式であってもよい。
【図面の簡単な説明】
【００８２】
【図１】この発明の一実施形態を示すブロック図である。
【図２】この発明の一実施形態の外観斜視図である。
【図３】切り出しモードに対応するプレビュー画像を一覧表示するプレジャッジ画面を示す図解図である。
【図４】全体モードに対応するプレビュー画像を一覧表示するプレジャッジ画面を示す図解図である。
【図５】等倍モードに対応するプレビュー画像を一覧表示するプレジャッジ画面を示す図解図である。
【図６】図１の実施形態のプレビュー画像データの生成動作を示すフロー図である。
【図７】切り出しモードに対応するプレビュー画像データを生成する際のプリント画像の画素サイズと枠画像の画素サイズとの関係を示す図解図である。
【図８】全体モードに対応するプレビュー画像データを生成する際のプリント画像の画素サイズと枠画像の画素サイズとの関係を示す図解図である。
【図９】等倍モードに対応するプレビュー画像データを生成する際のプリント画像の画素サイズと枠画像の画素サイズとの関係を示す図解図である。
【図１０】図１の実施形態のプリントの作製動作を示すフロー図である。
【符号の説明】
【００８３】
１０      写真処理装置
３２      コントローラ
３２ａ      ＣＰＵ
３２ｂ      ＲＯＭ
３２ｃ      ＲＡＭ
３２ｄ      ＨＤＤ
３８      表示部
１００      プレジャッジ画面
１０２      プレビュー画像
１０３      入力画像
１０４      プリント画像
１０６      枠画像
１１４      警告マーク
Ｓ      印画紙
Ｓｃ      プリント
【図１】
2006094095.tif 000003
【図２】
2006094095.tif 000004
【図３】
2006094095.tif 000005
【図４】
2006094095.tif 000006
【図５】
2006094095.tif 000007
【図６】
2006094095.tif 000008
【図７】
2006094095.tif 000009
【図８】
2006094095.tif 000010
【図９】
2006094095.tif 000011
【図１０】
2006094095.tif 000012